(57)【要約】【課題】漏れ光を有効に利用して計器の見栄えを向上させると同時に、意匠の視認性低下も防止することができる文字板及びこれを用いた計器を提供する。【解決手段】キャップ１２２の下縁部と凹部１１１の底面との間の隙間から、指針１２を光輝させるための光Ｒの一部が漏れて、指針軸孔１１４の近傍を中心とする放射線状の漏れ光Ｒ１が発生する。この漏れ光Ｒ１は、凹部１１１の内壁１１１ｂ等に反射されて、凹部１１１に光が溜まったようにみえる。その結果、キャップ１２２が、浮かびあがったようにみえる。また、凹部１１１に漏れ光を溜めることにより、凹部１１１以外の文字板１１の表面１１ｃに至る漏れ光は極めて少なくなる。その結果、漏れ光による意匠１１２の視認性の低下も防止できる。【選択図】図２
2006292649.tif 000002
【特許請求の範囲】
【請求項１】
所定の計測値に応じてムーブメントに回転される指針の回転軸部が挿通される指針軸孔と、
前記指針軸孔を周回する部位であって、前記指針のキャップの外径よりも広く、且つ、浅皿状に掘り下げられたような形状をして、前記キャップの下縁部から漏れた前記指針を光輝させるための光を溜めるための凹部と、
を有することを特徴とする文字板。
【請求項２】
請求項１記載の文字板を用いた計器であって、
前記指針は、
前記キャップの下縁部から前記指針を光輝させるための光の一部が漏れるように、該下縁部と前記凹部の底面との間に所定の隙間を保って配置されている、
ことを特徴とする計器。
【請求項３】
請求項２記載の計器において、
前記指針の指示部を前記キャップに固定するための前記回転軸部を含む指針袴は、
透明部材で構成されている、
ことを特徴とする計器。
【発明の詳細な説明】
【技術分野】
【０００１】
本発明は、文字板及びこれを用いた計器に関し、特に、指針のキャップからの漏れ光を有効に利用した文字板及びこれを用いた計器に関する。
【背景技術】
【０００２】
アナログ式の速度計やエンジン回転計等の計器においては、文字板に形成された速度やエンジン回転数を示す意匠を指針にて指示するようになっている。図４は、この種の従来の計器の要部を示す斜視図である。図５は、図４の計器の断面図である。図６は、図４の計器を改良した計器の断面図である。
【０００３】
図４に示すように、この種の計器９は、円盤状の文字板９１、文字板９１に形成された速度やエンジン回転数等を示す意匠９１２を指示する指針９２、及び計器の前面に取り付けられる見返し９３を含んで構成される。
【０００４】
図５に示すように、指針９２は、透明樹脂製の指示部９２１、指示部９２１の基端部を覆うキャップ９２２、指示部９２１の底面に印刷されたホットスタンプ層９２３、バランサ９２４、指示部９２１をキャップ９２２に固定するための、回転軸部を含む指針袴９２５を含んで構成される。
【０００５】
文字板９１には、上述したように、速度やエンジン回転数を示す目盛りや数字に対応する意匠９１２が形成されている。また、文字板９１には、指針９２の回転軸部が挿通される指針軸孔９１４、指針軸孔９１４を周回する透光部９１３が設けられている。文字板９１の背面には、図示しない基板上に指針９２を光輝させるための光源１４や所定の計測値に応じて指針を回転させるムーブメント（不図示）等が配置されている。
【０００６】
このような構成において、図５に示すように、光源１４からの光Ｒは、透光部９１３を透過して、指示部９２１の基端の受光部９２１ａに入り、指示部９２１の内部を反射しながら先端部に向かって進行していく。これにより、ホットスタンプ層９２３の色及び光源１４の色に依存した色調で、指針９２が光輝する。
【０００７】
なお、この出願の発明に関連する先行技術文献情報としては次のものがある。
【特許文献１】特願２００４−２５９１６６号公報
【発明の開示】
【発明が解決しようとする課題】
【０００８】
ところが、キャップ９２２の下縁部と文字板９１との間にはわずかな隙間が発生することが多い。そうすると、本来、指針９２を光輝させるための光の一部が、図４及び図５に示すように、指針軸孔９１４から放射線状に漏れ光Ｒ９が発生する。このような漏れ光Ｒ９は一定ではないことも多く、文字板９１上のキャップ９２２の周辺を不規則にぼんやりと照明する。
【０００９】
そうすると、計器９の見栄えや意匠９１２の視認性が低下するため、例えば、図６の計器９′に示すように、上記漏れ光Ｒ９が発生しない程度に、高精度にキャップ９２２′のすそを延長するというような方策が採られている。しかしながら、完全に漏れ光Ｒ９を消滅させることは非常に困難であるうえ、仮に漏れ光Ｒ９を消滅できたとしても、計器のデザインは平凡になり差別化のための他の方策を講じなければならなくなる。
【００１０】
よって本発明は、上述した現状に鑑み、漏れ光を有効に利用して計器の見栄えを向上させると同時に、意匠の視認性低下も防止することができる文字板及びこれを用いた計器を提供することを課題としている。
【課題を解決するための手段】
【００１１】
上記課題を解決するためになされた請求項１記載の文字板は、所定の計測値に応じてムーブメントに回転される指針の回転軸部が挿通される指針軸孔と、前記指針軸孔を周回する部位であって、前記指針のキャップの外径よりも広く、且つ、浅皿状に掘り下げられたような形状をして、前記キャップの下縁部から漏れた前記指針を光輝させるための光を溜めるための凹部と、を有することを特徴とする。
【００１２】
請求項１記載の発明によれば、文字板の指針軸孔を周回する部位は、指針のキャップの外径よりも広く、且つ、浅皿状に掘り下げられたような形状をした凹部が形成されている。そして、この凹部に、キャップの下縁部から漏れた指針を光輝させるための光が溜まる。
【００１３】
上記課題を解決するためになされた請求項２記載の計器は、請求項１記載の文字板を用いた計器であって、前記指針は、前記キャップの下縁部から前記指針を光輝させるための光の一部が漏れるように、該下縁部と前記凹部の底面との間に所定の隙間を保って配置されている、ことを特徴とする。
【００１４】
請求項２記載の発明によれば、キャップの下縁部から指針を光輝させるための光の一部が漏れるように、該下縁部と凹部の底面との間に所定の隙間が保たれている。そして、この隙間から漏れた光が文字板の凹部に溜まる。
【００１５】
上記課題を解決するためになされた請求項３記載の計器は、請求項２記載の計器において、前記指針の指示部を前記キャップに固定するための前記回転軸部を含む指針袴は、
透明部材で構成されている、ことを特徴とする。
【００１６】
請求項３記載の発明によれば、指針袴は透明部材で構成されているので、漏れ光をより有効に利用できる。
【発明の効果】
【００１７】
請求項１記載の発明によれば、文字板の指針軸孔を周回する部位は、指針のキャップの外径よりも広く、且つ、浅皿状に掘り下げられたような形状をした凹部が形成されている。そして、この凹部に、キャップの下縁部から漏れた指針を光輝させるための光が溜まる。したがって、漏れ光を有効に利用して計器の見栄えを向上させると同時に、凹部に漏れ光が溜まるので意匠の視認性低下も防止することができる。また、従来のように、キャップのすそを高精度に延長する必要もなくなる。
【００１８】
請求項２記載の発明によれば、キャップの下縁部から指針を光輝させるための光の一部が漏れるように、該下縁部と凹部の底面との間に所定の隙間が保たれている。そして、この隙間から漏れた光が文字板の凹部に溜まる。したがって、見栄えがよく、且つ、漏れ光による意匠の視認性低下を防止した計器が提供される。
【００１９】
請求項３記載の発明によれば、指針袴は透明部材で構成されているので、漏れ光をより有効に利用できる。したがって、より見栄えがよく、且つ、漏れ光による意匠の視認性低下を防止した計器が提供される。
【発明を実施するための最良の形態】
【００２０】
以下、本発明の実施の形態を図面に基づいて説明する。図１は、本発明の一実施形態に係る文字板及び計器の要部を示す斜視図である。図２は、図１の文字板及び計器の断面図である。図３（Ａ）及び図３（Ｂ）は、図１及び図２の実施形態の変形例を示す断面図である。
【００２１】
図１に示すように、本発明の実施形態は、アナログ式の自動車用の速度計やエンジン回転計等の計器に適用される。アナログ式の計器においては、文字板に形成された速度やエンジン回転数を示す意匠を指針にて指示するようになっている。図１に示すように、この計器１は、円盤状の文字板１１、文字板１１に形成された速度やエンジン回転数等を示す意匠１１２を指示する指針１２、及び計器の前面に取り付けられる黒色樹脂製の見返し１３を含んで構成される。
【００２２】
図２に示すように、指針１２は、透明樹脂製の指示部１２１、指示部１２１の基端部を覆う黒色樹脂製の円筒状のキャップ１２２、指示部１２１の底面に印刷されたホットスタンプ層１２３、指針の回転を安定させるためのバランサ１２４、指示部１２１をキャップ１２２に固定するための、回転軸部を含む指針袴１２５を含んで構成される。なお、ホットスタンプ層１２３は、例えば、赤色系で形成されている。また、指針袴１２５は、透明樹脂で形成されている。指針袴１２５を透明樹脂で形成することにより、後述の漏れ光をより有効に利用できるようになる。
【００２３】
また、文字板１１は、例えば、ポリカーボネイト製の透明生地のシートであり、図１及び図２に示すように、速度やエンジン回転数等を示す意匠１１２を中抜きにして、黒色のベース色で着色されている。意匠１１２には、例えば、薄い青色、赤色等の印刷を施してもよい。文字板１１にはまた、指針１２の回転軸部が挿通される指針軸孔１１４、指針軸孔１１４を周回する透光部１１１ａが設けられている。
【００２４】
更に、文字板１１には、指針軸孔１１４を周回する部位であって、指針２のキャップ１２２の外径よりも広く、且つ、キャップ１２２と相似形状に、浅皿状に掘り下げられたような形状をした凹部１１１が形成されている。この凹部１１１は、キャップ１２２の下縁部から漏れた指針１２を光輝させるための光を溜めるために設けられたものである。このため、キャップ１２２の下縁部から指針１２を光輝させるための光の一部が漏れるように、該下縁部と凹部１１１の底面との間には所定の隙間が設けられている。なお、運転手の視点からは、キャップ１２２及び凹部１１１は共に大きさの異なる円形状に見える。
【００２５】
文字板１１の背面には、図示しない基板上に指針１２を光輝させるための光源１４や所定の計測値に応じて指針を回転させるムーブメント、各種電子回路（不図示）等が配置されている。光源１４は、例えば、白色光を出射する発光ダイオードが用いられる。なお、この種の計器には、通常、この他に本体ケース、表ガラス、導光拡散板等も含まれるが、本発明の主旨を理解するためには、不要であるのでここでは省略している。
【００２６】
このような構成において、光源１４からの光Ｒは、透光部１１１ａ及び透明の指針袴１２５を透過して、指示部１２１の基端の受光部１２１ａに入り、指示部１２１の内部を反射しながら先端部に向かって進行していく。これにより、ホットスタンプ層１２３の色及び光源１４の色に依存した色調で、指針１２が光輝する。
【００２７】
また、キャップ１２２の下縁部と凹部１１１の底面との間の隙間から、上記指針１２を光輝させるための光Ｒの一部が漏れて、指針軸孔１１４の近傍を中心とする放射線状の漏れ光Ｒ１が発生する。この際、指針袴１２５は全体が透明樹脂で形成されているので、漏れ光Ｒ１の起因となる受光部１２１ａからの出射光の衰弱量が少なくなり、漏れ光Ｒ１を効率的に利用できるようになる。
【００２８】
そして、このようにして発生した漏れ光Ｒ１は、凹部１１１の内壁１１１ｂ等に反射されて、凹部１１１に光が溜まったようにみえる。補足すると、図４及び図５で示した従来例においては意匠近傍に漏れていた光が、凹部１１１に集光されることになる。その結果、キャップ１２２が、浮かびあがったようにみえる。また、凹部１１１に漏れ光を溜めることにより、凹部１１１以外の文字板１１の表面１１ｃに至る漏れ光は極めて少なくなる。その結果、漏れ光による意匠１１２の視認性の低下も防止できる。
【００２９】
なお、図３（Ａ）の変形例の計器１′に示すように、お椀型の凹部１１１′を有する文字板１１′であってもよいし、図３（Ｂ）の変形例の計器１″に示すように、円錐型の凹部１１１″を有する文字板１１″であってもよい。なお、図３（Ａ）及び図３（Ｂ）の変形例において、図２に示した実施形態と共通する部分には、同一の符号を付し、重複する説明は省略する。また、図３（Ａ）及び図３（Ｂ）の変形例による作用も、図２に示した実施形態と同様になるので重複する説明は省略する。これらの変形例によって、文字板のデザインの多様性にも対応可能になる。
【００３０】
以上説明したように、本発明の実施形態によると、従来、消滅させるために様々な工夫を施す必要があった漏れ光を、逆に積極的に利用して計器の見栄えやデザイン性を向上させている。また、同時に、意匠の視認性低下も防止するようにしている。したがって、本発明の実施形態によると、計器の見栄えを向上させると同時に、意匠の視認性低下も防止することができる文字板及びこれを用いた計器を提供することができる。
【００３１】
なお、本発明は、速度計やタコメータのみならず水温計や燃料計等にも適用可能である。また、本発明は、自動車以外の乗り物に搭載される計器にも適用可能である。また、本発明における凹部には、主旨の範囲で小変更されたものも含まれる。
【図面の簡単な説明】
【００３２】
【図１】本発明の一実施形態に係る文字板及び計器の要部を示す斜視図である。
【図２】図１の文字板及び計器の断面図である。
【図３】図３（Ａ）及び図３（Ｂ）は、図１及び図２の実施形態の変形例を示す断面図である。
【図４】この種の従来の計器の要部を示す斜視図である。
【図５】図４の計器の断面図である。
【図６】図４の計器を改良した計器の断面図である。
【符号の説明】
【００３３】
１  計器
１１  文字板
１２  指針
１３  見返し
１４  光源
１１１  凹部
１１２  意匠
１１４  指針軸孔
１２５  指針袴
【図１】
2006292649.tif 000003
【図２】
2006292649.tif 000004
【図３】
2006292649.tif 000005
【図４】
2006292649.tif 000006
【図５】
2006292649.tif 000007
【図６】
2006292649.tif 000008